(57)【特許請求の範囲】
【請求項１】
方形状をした太陽電池パネルは、太陽電池モジュールの周囲に枠材が取付けられた構成であり、
建物の屋根面に所定間隔をおいて２本のレール状の架台が平行に固定配置され、当該２本の架台の間に配置される前記太陽電池パネルの枠材における前記架台の長手方向と直交する方向の一端部である回動支持部は、当該太陽電池パネルが前記架台の長手方向と直交する垂直面内で回動可能なように、前記２本の架台の一方に回動可能に連結されていると共に、前記枠材の他端部である固定部は、前記２本の架台の他方に固定具を介して固定される構成の太陽電池パネルの設置装置であって、
前記枠材の回動支持部には、背面板部が太陽電池パネルの設置状態で略垂直方向に設けられて、当該背面板部の下端には、上方に凸となった半割パイプ状をした被嵌合部が前記架台の長手方向に沿って一体に設けられ、
前記架台の上端部には、
前記被嵌合部を内周側に隙間なく嵌合させて回動可能とすべく、前記被嵌合部の外径に対応する内径を有していて、断面視で周方向の一部が開口された状態で上方に凸となった半割パイプ状の嵌合部と、
当該嵌合部に対する前記被嵌合部の嵌合状態を維持すべく、当該被嵌合部を下方から支持する支持突条と、
がいずれも前記架台の長手方向に沿って連続して設けられ、
前記２本の架台の一方の嵌合部の一端から、前記枠材の被嵌合部をスライド挿入させて、前記太陽電池パネルの荷重の一部が前記支持突条で支持された状態で、前記架台の嵌合部に前記枠材の被嵌合部が嵌合されることにより、２本の架台の一方に太陽電池パネルの前記回動支持部が回動可能に支持される構成であることを特徴とする太陽電池パネルの設置装置。
【請求項２】
前記２本の各架台における前記嵌合部よりも低い部分には、ボルト挿入空間が側面に開口した状態で当該架台の長手方向に連続して設けられ、当該ボルト挿入空間に頭部が挿入されたボルトを介して前記太陽電池パネルの枠材の固定部が固定されることにより、当該太陽電池パネルは、固定部の側が低くなるように傾斜配置される構成であることを特徴とする請求項１に記載の太陽電池パネルの設置装置。
【請求項３】
前記太陽電池パネルを構成するモジュールの固定側の端部と、固定側の架台との間には、太陽電池モジュールと屋根材又は壁材との間に形成される空間部に通風させるための通風孔が設けられていることを特徴とする請求項１又は２に記載の太陽電池パネルの設置装置。
【請求項４】
方形状をした太陽電池パネルは、太陽電池モジュールの周囲に枠材が取付けられた構成であり、
建物の屋根面に所定間隔をおいて２本のレール状の架台が平行に固定配置され、当該２本の架台の間に配置される前記太陽電池パネルの枠材における前記架台の長手方向と直交する方向の一端部である回動支持部には、背面板部が太陽電池パネルの設置状態で略垂直方向に設けられて、当該背面板部の下端には、上方に凸となった半割パイプ状をした被嵌合部が前記架台の長手方向に沿って一体に設けられ、
前記枠材の被嵌合部は、前記太陽電池パネルが前記架台の長手方向と直交する垂直面内で回動可能なように、前記２本の架台の一方に回動可能に連結されていると共に、前記枠材の他端部である固定部は、前記２本の架台の他方に固定具を介して固定される構成の太陽電池パネルの設置装置を構成する架台であって、
前記架台の上端部には、
前記枠材の被嵌合部を内周側に隙間なく嵌合させて回動可能とすべく、前記被嵌合部の外径に対応する内径を有していて、断面視で周方向の一部が開口された状態で上方に凸となった半割パイプ状の嵌合部と、
当該嵌合部に対する前記被嵌合部の嵌合状態を維持すべく、当該被嵌合部を下方から支持する支持突条と、
がいずれも前記架台の長手方向に沿って連続して設けられ、
前記２本の架台の一方の嵌合部の一端から、前記枠材の被嵌合部をスライド挿入させて、前記太陽電池パネルの荷重の一部が前記支持突条で支持された状態で、前記架台の嵌合部に前記枠材の被嵌合部が嵌合されることにより、２本の架台の一方に太陽電池パネルの前記回動支持部が回動可能に支持される構成であることを特徴とする太陽電池パネルの設置装置を構成する架台。
【発明の詳細な説明】
【技術分野】
【０００１】
本発明は、建物の屋根面又は壁面に配設される太陽電池パネルの設置装置、及び当該設置装置を構成する架台に関するものである。
【背景技術】
【０００２】
住宅や工場等の建物の屋根面に太陽電池装置を設置する場合、各太陽電池パネルの表面が、太陽が真南にあるときの光線にほぼ垂直になるように、前記各太陽電池モジュールを３０°程度に傾斜させている。しかし、近時においてはデザイン上の観点から、平坦屋根の場合には、該屋根面（水平面）よりも４〜６°傾斜させて、傾斜屋根の場合には、該屋根面に平行に設置することが多くなっている。太陽電池装置については、例えば下記の技術が開示されている（特許文献１参照）。
【０００３】
従来の太陽電池装置Ａ’について説明する。図２１及び図２２に示されるように、平坦屋根の屋根材７１に取付けられた取付金具７２に、レール状の架台７３が所定の取付間隔をおいて敷設されている。該架台７３の一端部に、シール材７４を介して太陽電池モジュール７５の前端部を把持するための各第１把持具７６が固着されていて、同じく他端部に、太陽電池モジュール７５の後端部を把持するための各第２把持具７７が取付けられている。各第２把持具７７は断面略Ｌ字状であり、架台７３における起立側面部に固着されていて、各第２把持具７７が太陽電池モジュール７５の後端部を把持する高さ位置は、各第１把持具７６が太陽電池モジュール７５の前端部を把持する高さ位置よりも高い。このため、太陽電池モジュール７５は、第１及び第２の各把持具７６，７７によって所定の取付角度θ’だけ傾斜した状態で配置される。
【０００４】
従来の太陽電池装置Ａ’の場合、各太陽電池モジュール７５が第１及び第２の各把持具７６，７７に不動状態で取付けられている。ここで、各太陽電池モジュール７５は、多数個の太陽電池素子と、それらの表面に取付けられた１枚のガラス板（いずれも図示せず）とから構成されている。別構造の太陽電池モジュールとしては、ガラス板にシリコンを吹き付けたり、シリンコフィルムを貼り付けた構成のものもある。このため、地震等による建物の変位が太陽電池モジュール７５に及ぶと、該太陽電池モジュール７５が損傷するおそれがある。
【０００５】
また、屋根材７１のメンテナンス（例えば、ペンキ補修、シール補修、清掃等）をしたり、太陽電池モジュール７５の配線のメンテナンスをしたりするときには、各太陽電池モジュール７５を撤去しなければならず、大掛かりなものとなってしまう。そして、屋根材７１と太陽電池モジュール７５との間に形成された空間部Ｑは、ほぼ密閉状態となるため、該空間部Ｑの温度が上昇し、建物の内部の温度を上昇させてしまう。更に、前記架台７３が鉄製のものである場合、重量物となって建物に悪影響を及ぼすと共に、雨水により腐食するおそれがある。
【特許文献１】特開２００３−９６９８７号公報
【発明の開示】
【発明が解決しようとする課題】
【０００６】
本発明は、上記した不具合に鑑み、地震等の変位によって太陽電池モジュールが損傷されないようにすること、及び、屋根材等のメンテナンスが容易にできる太陽電池装置を提供することを課題としている。
【課題を解決するための手段】
【０００７】
上記課題を解決するための請求項１の発明は、方形状をした太陽電池パネルは、太陽電池モジュールの周囲に枠材が取付けられた構成であり、建物の屋根面に所定間隔をおいて２本のレール状の架台が平行に固定配置され、当該２本の架台の間に配置される前記太陽電池パネルの枠材における前記架台の長手方向と直交する方向の一端部である回動支持部は、当該太陽電池パネルが前記架台の長手方向と直交する垂直面内で回動可能なように、前記２本の架台の一方に回動可能に連結されていると共に、前記枠材の他端部である固定部は、前記２本の架台の他方に固定具を介して固定される構成の太陽電池パネルの設置装置であって、前記枠材の回動支持部には、背面板部が太陽電池パネルの設置状態で略垂直方向に設けられて、当該背面板部の下端には、上方に凸となった半割パイプ状をした被嵌合部が前記架台の長手方向に沿って一体に設けられ、前記架台の上端部には、前記被嵌合部を内周側に隙間なく嵌合させて回動可能とすべく、前記被嵌合部の外径に対応する内径を有していて、断面視で周方向の一部が開口された状態で上方に凸となった半割パイプ状の嵌合部と、当該嵌合部に対する前記被嵌合部の嵌合状態を維持すべく、当該被嵌合部を下方から支持する支持突条とがいずれも前記架台の長手方向に沿って連続して設けられ、前記２本の架台の一方の嵌合部の一端から、前記枠材の被嵌合部をスライド挿入させて、前記太陽電池パネルの荷重の一部が前記支持突条で支持された状態で、前記架台の嵌合部に前記枠材の被嵌合部が嵌合されることにより、２本の架台の一方に太陽電池パネルの前記回動支持部が回動可能に支持される構成であることを特徴としている。
【０００８】
請求項１の発明によれば、２本の架台の一方の嵌合部の一端から、太陽電池パネルの枠材の被嵌合部をスライド挿入すると共に、当該枠材の固定部を２本の架台の他方に固定して、設定位置に配置することにより、太陽電池パネルの荷重の一部が、前記架台の嵌合部の内側に配置された支持突条で支持された状態で、架台の嵌合部の内側に枠材の被嵌合部が隙間のない状態で回動可能に支持される構成であるので、架台に対して太陽電池パネルを回動可能に組み付ける作業が容易であると共に、前記枠材の回動支持部は、架台の嵌合部にがたつかない状態で嵌合されるために、架台に対する太陽電池パネルの回動連結構造が強固で、安定したものとなる。
【０００９】
所定間隔をおいた２本の架台の間に配置された太陽電池パネルの枠材の回動支持部を上記のようにして支持した状態において、２本の架台の他方に対する当該枠材の固定部の固定を解除した状態で、前記枠材の回動支持部を支点にして、太陽電池パネルを持ち上げる際には、当該太陽電池パネルの荷重の一部が半割パイプ状の被嵌合部を介して前記支持突条に支持された状態で、当該太陽電池パネルが持ち上げられ、しかも当該支持突条の存在により、半割パイプ状をした架台側の被嵌合部と太陽電池パネル側の嵌合部とが密着状態を保持したまま、被嵌合部に対して嵌合部が回動するので、太陽電池パネルの回動操作を安定して行うことができる。なお、架台から太陽電池パネルを取り外す場合には、上記と逆の方向に太陽電池パネルの全体をスライドさせるのみでよいので、太陽電池パネルの取外し作業も容易となる。
【００１０】
また、請求項２の発明は、請求項１の発明において、前記２本の各架台における前記嵌合部よりも低い部分には、ボルト挿入空間が側面に開口した状態で当該架台の長手方向に連続して設けられ、当該ボルト挿入空間に頭部が挿入されたボルトを介して前記太陽電池パネルの枠材の固定部が固定されることにより、当該太陽電池パネルは、固定部の側が低くなるように傾斜配置される構成であることを特徴としている。
【００１１】
請求項２の発明によれば、２本の架台の一方に太陽電池パネルの枠材の回動支持部を回動可能に支持すると共に、２本の架台の他方に設けられたボルト挿入空間に挿入されたボルトを介して前記枠材の固定部を固定するのみで、太陽電池パネルは、当該固定側が低くなるように傾斜配置される。
【００１２】
また、請求項３の発明は、請求項１又は２の発明において、前記太陽電池パネルを構成するモジュールの固定側の端部と、固定側の架台との間には、太陽電池モジュールと屋根材又は壁材との間に形成される空間部に通風させるための通風孔が設けられていることを特徴としている。
【００１３】
請求項３の発明によれば、通風孔が設けられていることにより、太陽電池モジュールの直下に形成される空間部に通風が行われ、建物の内部の温度を上昇させるおそれが更に少なくなる。太陽電池モジュールの発電効率は、所定温度（例えば２５°Ｃ）を超えると低下することが知られており、通風孔の存在により通風効果が高まることにより、太陽電池モジュールの温度上昇が抑制されて、発電効率を高めることが可能となる。
【００１４】
請求項４の発明は、方形状をした太陽電池パネルは、太陽電池モジュールの周囲に枠材が取付けられた構成であり、建物の屋根面に所定間隔をおいて２本のレール状の架台が平行に固定配置され、当該２本の架台の間に配置される前記太陽電池パネルの枠材における前記架台の長手方向と直交する方向の一端部である回動支持部には、背面板部が太陽電池パネルの設置状態で略垂直方向に設けられて、当該背面板部の下端には、上方に凸となった半割パイプ状をした被嵌合部が前記架台の長手方向に沿って一体に設けられ、前記枠材の被嵌合部は、前記太陽電池パネルが前記架台の長手方向と直交する垂直面内で回動可能なように、前記２本の架台の一方に回動可能に連結されていると共に、前記枠材の他端部である固定部は、前記２本の架台の他方に固定具を介して固定される構成の太陽電池パネルの設置装置を構成する架台であって、前記架台の上端部には、前記枠材の被嵌合部を内周側に隙間なく嵌合させて回動可能とすべく、前記被嵌合部の外径に対応する内径を有していて、断面視で周方向の一部が開口された状態で上方に凸となった半割パイプ状の嵌合部と、当該嵌合部に対する前記被嵌合部の嵌合状態を維持すべく、当該被嵌合部を下方から支持する支持突条とがいずれも前記架台の長手方向に沿って連続して設けられ、前記２本の架台の一方の嵌合部の一端から、前記枠材の被嵌合部をスライド挿入させて、前記太陽電池パネルの荷重の一部が前記支持突条で支持された状態で、前記架台の嵌合部に前記枠材の被嵌合部が嵌合されることにより、２本の架台の一方に太陽電池パネルの前記回動支持部が回動可能に支持される構成であることを特徴としている。
【００１５】
請求項４の発明は、請求項１の発明を、架台を主体にして表現したものであって、請求項４の発明に係る架台の上端部に設けられた半割パイプ状の嵌合部の内側に、太陽電池パネルの枠材を構成する背面板部の下端に設けられた半割パイプ状の被嵌合部を嵌合させて、当該被嵌合部を架台の嵌合部の内側に設けられた支持突条で支持することにより、請求項１の発明と同様の作用効果が奏される。
【００１６】
【００１７】
【００１８】
【発明の効果】
【００１９】
本発明によれば、太陽電池パネルの荷重の一部が、前記架台の嵌合部の内側に配置された支持突条で支持された状態で、架台の嵌合部の内側に枠材の被嵌合部が隙間のない状態で回動可能に支持される構成であるので、架台に対して太陽電池パネルを回動可能に組み付ける作業が容易であると共に、前記枠材の回動支持部は、架台の嵌合部にがたつかない状態で嵌合されるために、架台に対する太陽電池パネルの回動連結構造が強固で、安定したものとなる。
【発明を実施するための最良の形態】
【００２０】
以下、実施例を挙げて、本発明を更に詳細に説明する。図１は実施例１の太陽電池装置Ａ1 が設置された建物Ｂ1 の斜視図、図２は実施例１の太陽電池装置Ａ1 の後方斜視図、図３は同じく平面図、図４は同じく一部を破断した側面図、図５は図４のＺ−Ｚ線断面図、図６は太陽電池パネルＰ1 の分解斜視図、図７は同じく側面断面図、図８は枠材Ｗ1 の被嵌合部７ａを、架台４の枠材挿入空間部１７に嵌合挿入させた状態の斜視図、図９は同様の状態の側面断面図である。
【実施例１】
【００２１】
図１及び図２に示されるように、建物Ｂ1 の屋根面に、実施例１の太陽電池装置Ａ1 が設置されている。実施例１の太陽電池装置Ａ1 は、図３ないし図５に示されるように、ガスケット１を介して平板状の太陽電池モジュールＭ1 を枠材Ｗ1 に装着させて構成される多数個の太陽電池パネルＰ1 と、平坦屋根を有する建物Ｂ1 の屋根材３に敷設されたレール状の架台４とから構成されている。各太陽電池パネルＰ1 は、それらの前端部が、手前側の架台４に支持されると共に、それらの後端部が奥側の架台４に支持されて配設される。
【００２２】
最初に、屋根材３について説明する。図１ないし図３に示されるように、建物Ｂ1 の屋根面には、正面視において略台形状が交互に連続した波形状となっていて、「ハゼ締め折板」と称される屋根材３が全面に亘って取付けられている。以下、正面視における屋根材３の左右方向（略台形状が交互に連続して波形状となっている方向）を「Ｘ方向」と記載して、符号Ｘで示すと共に、屋根材３の奥行方向（Ｘ方向と直交する水平方向）を「Ｙ方向」と記載して、符号Ｙで示す。屋根材３における各頂部の上面は水平になっていると共に、各頂部からＹ方向の全長に亘ってハゼ部３ａが突設されている。屋根材３の各頂部には、Ｙ方向に一定の取付間隔Ｋ1 をおき、前記ハゼ部３ａを両側から包み込む形態で各取付金具５が取付けられている。そして、各取付金具５の上部にそれぞれ台座６が取付けられている。各台座６の上部に、Ｘ方向に沿ってレール状の架台４が敷設されている。
【００２３】
次に、枠材Ｗ1 について説明する。図４ないし図７に示されるように、本実施例の枠材Ｗ1 は、軽量金属の型材（本実施例の場合、アルミニウム）より成り、太陽電池モジュールＭ1 の背面部を支持する背面板部７と、同じく両側面部を支持するための一対の側面板部８と、該一対の側面板部８を連結して枠材Ｗ1 の全体の連結強度を高めるための角パイプから成る連結板部３２とから構成されている。前記背面板部７は略Ｆ字状であり、背面板部７の上端部から直角に上縁板部９ａが延設されていると共に、前記背面板部７における高さ方向のほぼ中央部よりも少し上部から直角に、中縁板部９ｂが延設されている。そして、背面板部７の下端部に、上方が凸となった半割パイプ状の被嵌合部７ａが設けられている。また、前記各側面板部８は断面略Ｅ字状であり、上記背面板部７と同様に、その上端部、高さ方向のほぼ中央部よりも少し上部、及び下端部から直角に、それぞれ上縁板部１１ａ、中縁板部１１ｂ、下縁板部１１ｃが延設されている。下縁板部１１ｃの長さは、上方の各縁板部１１a,１１b の長さよりも少し長い。そして、各側面板部８の一端部（開放側の端部）で、中縁板部１１ｂと下縁板部１１ｃとの間には、取付ボルト１２（本実施例の場合、六角ボルト）のねじ部１２ａを挿通させるためのボルト孔８ａが設けられている。また、前記連結板部３２の両端部は、各側面板部８の下縁板部１１ｃに支持されていて、各下縁板部１１ｃの下方から締め込まれる取付ねじ３３によって固定される。これにより、太陽電池パネルＰ1 の枠材Ｗ1 は、背面板部７、一対の側面板部８及び連結板部３２により略方形枠状に構成される。この結果、枠材Ｗ1 の剛性が高められ、地震等による枠材Ｗ1 の変形が生じにくくなり、太陽電池モジュールＭ1 を損傷させるおそれが少なくなる。
【００２４】
前記背面板部７の長手方向の両端部に、前記一対の側面板部８を固着させることにより、平面視において略コの字状の枠材Ｗ1 が形成される。このとき、背面板部７の上縁板部９ａと中縁板部９ｂは、各側面板部８の上縁板部１１ａと中縁板部１１ｂに、連続状態で接合される。また、一対の側面板部８の各ボルト孔８ａは相対向して配置される。
【００２５】
次に、架台４について説明する。図６、図８及び図９に示されるように、架台４は軽量金属の型材（本実施例の場合、アルミニウム）より成る。架台４の断面形状は略逆Ｕ字状であり、その底面部は、Ｙ方向に沿って正面側及び背面側に延設されている。架台４の上端部には、枠材Ｗ1 の被嵌合部７ａを内側に嵌合可能なように半割パイプ状の嵌合部１４が設けられていると共に、前記嵌合部１４のほぼ頂部は架台４の全長に亘って切り欠かれていて、枠材Ｗ1 の背面板部７を配置するための開口部１３が形成されている。嵌合部１４の下端部には、両者を連結する上支持板部１５が段付き形状にして設けられていて、該上支持板部１５における幅方向（Ｙ方向）のほぼ中央部に、支持突条１６が架台４の全長に亘って立設されている。この結果、架台４の上部には、嵌合部１４、上支持板部１５、及び支持突条１６によって、枠材Ｗ1 の被嵌合部７ａを嵌合挿入させるための枠材挿入空間部１７が形成される。ここで、前記支持突条１６の上端部は断面略円弧状になっていて、その上端面から嵌合部１４の内周面までの半径方向の距離は、枠材Ｗ1 を構成する背面板部７の被嵌合部７ａの厚みよりも少し大きい。
【００２６】
前記枠材挿入空間部１７に、枠材Ｗ1 の被嵌合部７ａが嵌合挿入されたとき、枠材Ｗ1 の背面板部７は、架台４の開口部１３に配置される。また、枠材Ｗ1 の被嵌合部７ａは、該被嵌合部７ａの外周面が嵌合部１４の内周面にほぼ接触し、かつ前記被嵌合部７ａの内周面が支持突条１６の上端面にほぼ接触する状態で配置される。これにより、枠材Ｗ1 が回動されたとき、前記被嵌合部７ａと嵌合部１４及び支持突条１６との接触状態が外れることはない。この構造によって、太陽電池パネルＰ1 を持ち上げると、その荷重の一部が支持突条１６で支持された状態で、太陽電池パネルＭ1 を構成する枠材Ｗ1 の一端部は、架台４に回動可能に連結（支持）される。
【００２７】
前述した上支持板部１５の下方には、下支持板部１８が設けられていて、上下の各支持板部１５，１８が起立板部１９によって連結されている。そして、前記上下の各支持板部１５，１８と前記起立板部１９により、固定金具２１（後述）を固定する取付ボルト２２（本実施例の場合、四角ボルト）の頭部を嵌合挿入させるボルト挿入空間部２３が設けられている。そして、架台４の背面部には、前記ボルト挿入空間部２３と外部とを連通させるための隙間２４が、架台４の全長に亘って設けられている。前記ボルト挿入空間部２３は、取付ボルト２２の頭部よりも大きく、また、前記隙間２４は、取付ボルト２２の頭部の外径よりも小さく、ねじ部２２ａの外径よりも僅かに大きい。このため、ボルト挿入空間部２３に嵌合挿入された取付ボルト２２は、ねじ部２２ａを架台４の背面部に突出させた抜け止め防止状態で保持される。
【００２８】
図６、図８及び図９に示されるように、上記した枠材Ｗ1 の前端部は、固定金具２１を介して手前側の架台４に連結される。固定金具２１は平面視において略Ｌ字状であり、各屈曲部に取付ボルト１２，２２の各ねじ部１２a,２２a を挿通させるための各ボルト孔２１a,２１b が設けられている。固定金具２１は、一方側の屈曲部のボルト孔２１ａ（図９参照）に、架台４の背面部に突出された取付ボルト２２のねじ部２２ａが挿通され、該ねじ部２２ａにナット２５が締め込まれることによって架台４に固定される。そして、枠材Ｗ1 の被嵌合部７ａが架台４の枠材挿入空間部１７に嵌合挿入され、前記枠材Ｗ1 が架台４に対して、該架台４の長手方向と直交する垂直面内で回動可能に支持される。このとき、枠材Ｗ1 の前端部は自重により垂れ下がり、傾斜状態で配置される。この状態で、固定金具２１の他方側の屈曲部は、いずれかの側面板部８にほぼ接した状態で配置される。そして、枠材Ｗ1 の内側から取付ボルト１２のねじ部１２ａが、側面板部８のボルト孔８ａ及び固定金具２１のボルト孔２１ｂに挿通され、該ねじ部１２ａの突出部分にナット２６が螺合される。該ナット２６が締め込まれることにより、固定金具２１を介して枠材Ｗ1 が架台４に連結される。この結果、太陽電池パネルＰ1 は、Ｙ方向に取付角度θで傾斜した状態で固定される。
【００２９】
前記背面板部７及び一対の側面板部８の各上縁板部９a,１１a に、ガスケット１が装着される。ガスケット１について説明する。図６及び図７に示されるように、ガスケット１は、平面視において略コの字状のゴム材より成り、横断面視における一方側（外側）の内側面部には、枠材Ｗ1 の背面板部７及び側面板部８の各上縁板部９a,１１a に対応する外側溝部１ａが全長に亘って設けられていると共に、他方側（内側）の内側面部には、太陽電池モジュールＭ1 の周縁部に対応する内側溝部１ｂが全長に亘って設けられている。前記内側溝部１ｂに、太陽電池モジュールＭ1 の正面側を除く周縁部が装着されて、ガスケット１に太陽電池モジュールＭ1 が支持される。そして、ガスケット１における両側の各内側溝部１ｂの前端部に各セッティングブロック２７が嵌合挿入され、各端部蓋２８によって閉塞される。各端部蓋２８は、リベット２９により、対応する側面板部８の中縁板部９ｂの所定位置に固定される。これにより、太陽電池パネルＰ1(又は太陽電池モジュールＭ1)が傾斜状態に配置されても、ガスケット１から太陽電池モジュールＭ1 が抜け出ることが防止される。
【００３０】
図５及び図７に示されるように、Ｘ方向におけるガスケット１の相対向する各内側溝部１ｂどうしの間隔は、太陽電池モジュールＭ1 におけるＸ方向の長さＬｘよりも少し長く、Ｙ方向におけるガスケット１の内側溝部１ｂの長さは、太陽電池モジュールＭ1 におけるＹ方向の長さＬｙとセッティングブロック２７の長さＬｓの和よりも少し長い。このため、ガスケット１の各内側溝部１ｂと太陽電池モジュールＭ1 の周縁の端面部との間に僅かな隙間ｅが形成される。地震等により建物Ｂ1 に変位が生じたときであっても、該変位が隙間ｅに吸収され、太陽電池モジュールＭ1 に変位が及ぶことはない。これにより、太陽電池モジュールＭ1 の損傷が防止される。また、枠材Ｗ1 と太陽電池モジュールＭ1 との間にガスケット１が介装されていることにより、太陽電池モジュールＭ1 で発生した熱が枠材Ｗ1 に伝達されにくくなる（即ち、枠材Ｗ1 と太陽電池モジュールＭ1 との断熱性が良好となる）。このため、前記枠材Ｗ1 から、架台４、取付金具５等を介して屋根材３に伝達される熱量も少なくなり、建物Ｂ1 の内部の温度上昇が防止される。
【００３１】
図４に示されるように、前記ガスケット１のＹ方向の長さは、枠材Ｗ1 の各側面板部８のＹ方向の長さよりも短い。このため、太陽電池モジュールＭ1 の前端部（正面側の端部）と対応する架台４との間には、所定の大きさの通風孔３１が形成される。前記通風孔３１を介して、太陽電池モジュールＭ1 と屋根材３との間に形成される空間部Ｑと外部との通風が図られ、建物Ｂ1 の内部の温度上昇が更に防止される。また、特に夏場においては、通風孔３１の存在により太陽電池モジュールＭ1 自体の温度上昇を防止できて、太陽電池モジュールＭ1 による発電効率を維持できる。更に、作業者が屋根面を歩行する際に、前記通風孔３１の部分に足を踏み入れることができるため、当該通風孔３１の部分を歩行することにより、所定の太陽電池パネルＰ1 に近づくことが容易となる。
【００３２】
実施例１の太陽電池装置Ａ1 を、建物Ｂ1 の平坦屋根に設置するときの作用について説明する。図１及び図２に示されるように、ハゼ締め折板の屋根材３より成る建物Ｂ1 の屋根面の所定位置に、各取付金具５が取付けられ、各取付金具５の上面に各台座６が取付けられる。各台座６の上面に各架台４が取付けられ、屋根面のＸ方向に沿って敷設される。各架台４は、屋根面のＹ方向に一定の取付間隔Ｋ1(図４参照）をおいて並列に敷設される。図６に示されるように、前記架台４の長手方向の一端部から、該架台４の上部に設けられた枠材挿入空間部１７に、太陽電池パネルＰ1 の枠材Ｗ1 の被嵌合部７ａがスライドにより嵌合挿入される。図９に示されるように、前記被嵌合部７ａの外周面は、架台４の嵌合部１４の内周面にほぼ接する状態で配置され、被嵌合部７ａの内周面は、支持突条１６の上端面にほぼ接する状態で配置される。また、枠材Ｗ1 の背面板部７は、前記嵌合部１４の間に形成された開口部１３に配置される。これにより、太陽電池パネルＰ1 は、架台４に対して、該架台４の長手方向と直交する垂直面内で、開口部１３の形成角度の分だけ回動可能である。実施例１の太陽電池装置Ａ1 の場合、前記開口部１３の形成角度は４５°であり、太陽電池パネルＰ1 は、水平面に対して上方に４０°、下方に５°だけ回動可能である。
【００３３】
図４に示されるように、前記架台４に配設された太陽電池パネルＰ1 は、該太陽電池パネルＰ1 を構成する枠材Ｗ1 の一対の側面板部８の前端部が固定金具２１を介して手前側の架台４に支持され、屋根面に対して所定の取付角度θに配置される。本実施例の場合、太陽電池モジュールＭ1 の取付角度θは５°である。そして、図５に示されるように、各太陽電池パネルＰ1 において、隣接する枠材Ｗ1 の各側面板部８どうしは、両者の間に固定金具２１を介装させた状態で各ボルト孔８ａに取付ボルト１２のねじ部１２ａが挿通され、ナット２６が締め込まれることによって連結される。換言すれば、隣接する太陽電池パネルＰ1 の枠材Ｗ1 における各側面板部８どうしが、１個の固定金具２１を共通にして固定される。上記した結果、３個の太陽電池パネルＰ1 がＸ方向に連結された状態で固定される。そして、建物Ｂ1 のＸ方向及びＹ方向に沿って多数個の太陽電池パネルＰ1 が並列に配設される。実施例１の太陽電池装置Ａ1 の場合、図１に示されるように、Ｘ方向に沿って敷設された１本の架台４に対して３個の太陽電池パネルＰ1 が連結状態で配設されたものが、Ｙ方向に沿って同一の取付角度θで連続に配設されている。このため、Ｙ方向の両端部の架台４を除く各架台４は、太陽電池パネルＰ1 の基端部（枠材Ｗ1 の被嵌合部７ａ）を回動可能に支持していると共に、奥側の太陽電池パネルＰ1 の前端部を固定支持している。
【００３４】
図５及び図７に示されるように、各太陽電池パネルＰ1 が配設された状態で、太陽電池モジュールＭ1 の周縁の端面部２ａと、ガスケット１の内側溝部１ｂの内側面部との間には、それぞれ隙間ｅが設けられている。このため、地震等により建物Ｂ1 に変位が生じても、該変位は隙間ｅに吸収され、太陽電池モジュールＭ1 に及ぶことはない。この結果、建物Ｂ1 の変位によって太陽電池モジュールＭ1 が損傷することが防止される。そして、太陽電池モジュールＭ1 と枠材Ｗとの間にガスケット１が介装されていることにより、太陽電池モジュールＭ1 で発生した熱が枠材Ｗ1 に伝達されにくくなる（即ち、太陽電池モジュールＭ1 と枠材Ｗ1 との断熱性が良好となる）。このため、前記太陽電池パネルＰ1 から、架台４、取付金具５等を介して屋根材３に伝達される熱量も少なくなり、建物Ｂ1 の内部の温度上昇が防止される。また、通風孔３１を介して、太陽電池モジュールＭ1 と屋根材３との間の空間部Ｑと外部との通風が図られ、建物Ｂ1 の内部の温度上昇が更に防止される。
【００３５】
実施例１の太陽電池装置Ａ1 をメンテナンスする場合について説明する。従来の太陽電池装置Ａ’の場合、図２２に示されるように、太陽電池モジュール７５が不動状態で取付けられている。このため、太陽電池モジュール７５の直下の屋根材７１のメンテナンス（ペンキ補修、シール補修、清掃等）や太陽電池モジュール７５の配線のメンテナンスを行うためには、各太陽電池モジュール７５を取り外さなければならず、作業が大掛かりなものとなってしまう。更に、建物の微動変位が、太陽電池モジュール７５に直接及ぶため、該太陽電池モジュール７５を損傷させ易い。しかし、本実施例の太陽電池装置Ａ1 の場合、図４に示されるように、枠材Ｗ1 の一対の側面板部８と対応する固定金具２１とを連結している取付ボルト１２及びナット２６を取り外すことにより、太陽電池パネルＰ1 の全体を回動させて持ち上げることができる。そして、太陽電池パネルＰ1 を持ち上げることにより、該太陽電池パネルＰ1 の直下の屋根材３が露出されるため、該屋根材３のメンテナンスや太陽電池モジュールＭ1 の配線のメンテナンスをすることができ、作業が極めて容易である。また、作業者が屋根面を歩行する際に、各太陽電池パネルＰ1 の通風孔３１の部分に足を踏み入れることができるため、所定の太陽電池パネルＰ1 に近づくことが容易である。更に、太陽電池パネルＰ1 の基端部は、架台４に嵌合挿入されていて、該架台４に対して僅かに遊動可能であるため、建物Ｂ1 の微動変位にも追従可能である。
【００３６】
実施例１の太陽電池装置Ａ1 では、太陽電池パネルＰ1 が架台４に対して回動可能であるため、各太陽電池パネルＰ1 の取付角度θを、該太陽電池装置Ａ1 の設置場所に対応する最適なものにすることが容易である。ここで、実施例１の太陽電池装置Ａ1 の場合、図４に示されるように、架台４どうしのＹ方向の取付間隔Ｋ1 が６５０mmであり、各太陽電池パネルＰ1 の取付角度θは５°である。もし、取付角度θを緩くする場合、いずれかの架台４の設置位置をずらして、取付間隔Ｋ1'を長くする。図１０に示される例では、枠材Ｗ1 の基端部側の架台４の取付位置をずらして、取付間隔Ｋ1'を長くしてある。その状態の架台４と太陽電池パネルＰ1 を二点鎖線で示す。この場合であっても、太陽電池パネルＰ1 の全体が、架台４に対して回動可能に取付けられているため、枠材Ｗ1 を構成する一対の側面板部８の長さを長くするだけで済み、各架台４及び枠材Ｗ1 の背面板部７を変更する必要はない。逆に、取付角度θを急にする場合には、架台４どうしの取付間隔Ｋ1 を短くすれば済む。上記した作業により、各太陽電池パネルＰ1 の取付角度θを、太陽電池装置Ａ1 の設置場所に応じた最適なものに容易にすることができる。
【００３７】
次に、別の実施例の太陽電池パネルＰ1'について説明する。図１１（イ）は、太陽電池パネルＰ1'の概略平面図、同（ロ）は、同（イ）のＴ−Ｔ線断面図である。本実施例の太陽電池パネルＰ1'は、図１１に示されるように、枠材Ｗ1'に対する太陽電池モジュールＭ1 の支持構造が異なる。即ち、前記太陽電池パネルＰ1'においては、枠材Ｗ1'に対してガスケット１により太陽電池モジュールＭ1 が取付けられているが、太陽電池パネルＰ1'においては、全周が囲まれた枠材Ｗ1'の上縁板部９ａと中縁板部９ｂとの間に、緩衝材６１とシール材６２とにより支持されている。即ち、ゴム等の弾性材からなる方形枠状の緩衝材６１の外側面に開口した溝部６１ａに枠材Ｗ1'の中縁板部９ｂが挿入され、該緩衝材６１と、前記上縁板部９ａの裏面側に配置された方形枠状のシール材６２との間に、太陽電池モジュールＭ1 の周縁部が挿入されることにより、枠材Ｗ1'に対して太陽電池モジュールＭ1 が保持されている。この構造によっても、地震等の発生時における建物の変位が太陽電池モジュールＭ1 に及ばなくなると共に、振動等が前記緩衝材６１及びシール材６２に吸収されて、太陽電池モジュールＭ1 の損傷を防止できる。
【実施例２】
【００３８】
次に、実施例２の太陽電池装置Ａ2 について説明する。図１２に示されるように、実施例２の太陽電池装置Ａ2 を構成する架台３４は、実施例１の架台４と比較して、高さが高くなっていて、取付金具５に直接取付けられている。そして、前記架台３４には、高さ方向に一定の間隔Ｈをおいて複数本（本実施例の場合、３本）のボルト孔３４ａが、Ｙ方向に沿って貫通状態で設けられている。いずれかのボルト孔３４ａに取付ボルト３５のねじ部３５ａが挿通され、架台３４の背面部から突出される。前記ねじ部３５ａに、固定金具３６が取付けられる。実施例２の太陽電池装置Ａ2 の場合、架台３４における取付ボルト３５の高さ方向の取付位置を容易に変えることができるため、取付角度θの調整が容易である。例えば、図１２に示される実施例の場合、架台３４における取付ボルト３５の取付位置を高くすることにより、太陽電池パネルＰ2(又は太陽電池モジュールＭ1)の取付角度θを緩くすることができる。
【実施例３】
【００３９】
次に、実施例３の太陽電池装置Ａ3 について説明する。図１３ないし図１５に示されるように、実施例３の太陽電池装置Ａ3 は、建物Ｂ2 の傾斜屋根面に設置されている。屋根材３７の上面には、Ｙ方向（屋根面の傾斜方向）に一定の取付間隔Ｋ2 をおいて取付金具３８が取付けられていて、該取付金具３８の上面に、屋根のＸ方向に沿ってレール状の架台３９が敷設されている。架台３９の上部が断面視において半円形状で、その頂部に開口部が設けられていること、及び架台３９の背面部に全長に亘って隙間が設けられていて、取付ボルトのねじ部が突出されることは、実施例１の場合の架台４とほぼ同様であるため、詳細説明を省略する。そして、実施例１と同一の部材には、必要に応じて同一の符号を付して説明する。
【００４０】
本実施例の太陽電池パネルＰ2 は、軽量金属材（本実施例の場合、アルミニウム）から成る方形枠状の枠材Ｗ2 に、市販の太陽電池モジュールＭ2 を装着させたものである。即ち、図１５に示されるように、枠材Ｗ2 の上部には全周に亘って、断面略コの字状の溝部が設けられていて、該溝部にガスケット４２を介して太陽電池モジュールＭ2 が嵌合固定されている。枠材Ｗ2 の背面部には、背面板部４３が取付けられていて、該背面板部４３の下端部に延設された略割パイプ状の被嵌合部４３ａが、架台３９の上部に嵌合挿入される。これにより、枠材Ｗ2 は、架台３９に対して、該架台３９の長手方向と直交する垂直面内で回動可能に支持される。
【００４１】
前記枠材Ｗ2 の正面部には、Ｙ方向に沿って複数本（本実施例の場合、３本）の固定ボルト４４が、Ｘ方向に所定の間隔をおいて取付けられている。各固定ボルト４４のねじ部４４ａは枠材Ｗ2 の正面部から前方に突出されていて、それらの前端部が、各ナット４５により固定金具４６と連結されている。前記固定金具４６は、架台３９の背面部に固着されている。固定金具４６において、固定ボルト４４のねじ部４４ａが支持される部分はＵ字状に切り欠かれているため（図１４参照）、作業者は、前記ねじ部４４ａを締め込んでいる各ナット４５を緩めるだけで、固定ボルト４４と固定金具４６との連結を解除できる。そして、そのまま固定ボルト４４を持ち上げることにより、枠材Ｗ2 を回動させることができる。これにより、屋根材３７が露出され、該屋根材３７のメンテナンスや太陽電池モジュールＭ2 の配線のメンテナンスを容易に行うことができる。更に、枠材Ｗ2 の前端部と架台３９との間に通風孔４７が形成されるため、太陽電池パネルＰ2 と屋根材３７との間に形成される空間部Ｑに通風が行われ、建物Ｂ2 内の温度上昇が抑止されると共に、作業者の歩行に利することとなる。
【実施例４】
【００４２】
次に、実施例４の太陽電池装置Ａ4 について、実施例３の太陽電池装置Ａ3 と異なる部分について説明する。図１６及び図１７に示されるように、実施例４の太陽電池装置Ａ4 を構成する太陽電池パネルＰ2 、架台３９、及び背面板部４３は、実施例３の太陽電池装置Ａ3 のそれらと同一であるが、枠材Ｗ2 の正面部に正面板部４８が固着されていること、及び前記正面板部４８と架台３９とを連結するための固定金具４９の形状が異なっている。即ち、前記固定金具４９は、側面視において略台形状であり、一方側の屈曲部４９ａが、架台３９の背面部に固定されていると共に、他方側の屈曲部４９ｂが、屋根面と平行状態となって架台３９の背面側に延設されている。前記固定金具４９は、枠材Ｗ2 における幅方向（Ｘ方向）の両端部にのみ設けられているため、枠材Ｗ2 の前端部と架台３９との間には、通風孔５１が形成される。前記他方側の屈曲部４９ｂに、枠材Ｗ2 の正面板部４８が載置され、固定ねじ５２により両者が連結される。この状態で、太陽電池パネルＰ2 は、屋根面とほぼ平行に配置される。
【００４３】
作業者は、前記固定ねじ５２を取り外し、正面板部４８と固定金具４９の連結を解除させる。そして、そのまま正面板部４８を持ち上げることにより、枠材Ｗ2 を回動させることができる。前記正面板部４８の上端部が手前側に屈曲されて引掛け部４８ａとなっていて、作業者は、前記引掛け部４８ａに手を掛けて太陽電池パネルＰ2 全体を持ち上げることができるため、作業が容易である。これにより、屋根材３７が露出され、該屋根材３７のメンテナンスや太陽電池モジュールＭ2 の配線のメンテナンスを容易に行うことができる。更に、枠材Ｗ2 の前端部と架台３９との間に通風孔５１が設けられているため、建物Ｂ2 内の温度上昇が抑止される。実施例４の太陽電池装置Ａ4 は、太陽電池モジュールＭ2 の大きさを小さくすることなく、しかも、通風孔５１を形成して各太陽電池パネルＰ2 を配置させることができる。このため、実施例３の太陽電池装置Ａ3 と比較すると、太陽電池モジュールＭ2 の大きさをそのままにして各架台３９どうしの取付間隔Ｋ3 を短くすることができ（Ｋ3 ＜Ｋ2)、同一面積の屋根面に対してより多くの太陽電池パネルＰ2 を配設することができる。
【実施例５】
【００４４】
次に、実施例５の太陽電池装置Ａ5 について説明する。図１８及び図１９に示されるように、実施例５の太陽電池装置Ａ5 は、実施例３と同一の太陽電池パネルＰ2 と、建物Ｂ2 の屋根材３７に敷設されるレール状の架台５３と、前記太陽電池パネルＰ2 を前記架台５３に支持させるための背面板部５４及び正面板部５５とから成る。前記架台５３の横断面形状は、上部に段付部５３ａを突出させた略方形枠状であり、前記段付部５３ａに、水密カバー５６と水密パッキン５７が取付けられる。前記架台５３の正面側の段付面には、太陽電池パネルＰ2 の枠材Ｗ2 の背面部に固着された断面略Ｌ字状の背面板部５４の屈曲部５４ａが載置される。そして、取付ねじ５８により、架台５３と背面板部５４が連結される。また、前記架台５３の背面側の段付面には、太陽電池パネルＰ2 の枠材Ｗ2 の正面部に固着された断面略Ｌ字状の正面板部５５の被嵌合部５５ａを嵌合挿入させるための回動支持部５３ｂが、架台５３の全長に亘って設けられている。
【００４５】
前記太陽電池パネルＰ2 は、正面板部５５の被嵌合部５５ａが、対応する架台５３の端部からその回動支持部５３ｂに嵌合挿入されることにより、架台５３に対して回動可能に支持される。そして、背面板部５４の屈曲部５４ａが、対応する架台５３の正面側の段付面に載置されることにより、屋根面に対してほぼ水平に配置される。続いて、取付ねじ５８によって、架台５３と背面板部５４とが連結され、該架台５３の上部に水密カバー５６と水密パッキン５７が取付けられる。なお、図１９において、５９は、水密カバーを固定するための取付ねじである。
【００４６】
屋根材３７のメンテナンスや太陽電池モジュールＭ2 の配線のメンテナンスを行う場合、水密カバー５６と水密パッキン５７が取り外され、取付ねじ５８が取り外される。そして、証明板部５５の被嵌合部５５ａの軸心を中心に、太陽電池パネルＰ2 全体を回動させて持ち上げる。本実施例の太陽電池装置Ａ5 の場合、太陽電池パネルＰ2 の回動中心（被嵌合部５５ａの軸心）が正面側に設けられていて、図２０に示されるように、枠材Ｗ2 の正面板部５５が架台５３の段付部５３ａの上端面に当接するまで回動させることができる。このため、太陽電池パネルＰ2 の回動角度を大きくすることができる（約９０°）。更に、前記太陽電池パネルＰ2 を最大に回動させた状態で保持される。上記した結果、屋根材３７のメンテナンスや太陽電池モジュールＭ2 の配線のメンテナンスが容易になる。
【００４７】
上記した各実施例の太陽電池装置Ａ1 〜Ａ5 の各枠材Ｗ1,Ｗ2 は、アルミニウムより成る。このため、前記各枠材Ｗ1,Ｗ2 が鉄より成る場合と比較して、重量が約１／３となる。この結果、太陽電池装置Ａ1 〜Ａ5 の重量が軽くなって、建物Ｂ1,Ｂ2 の屋根面に特別な補強がされていない場合であっても設置することができる。更に、雨水により腐食するおそれもない。
【００４８】
【００４９】
【図面の簡単な説明】
【００５０】
【図１】実施例１の太陽電池装置Ａ1 が設置された建物Ｂ1 の斜視図である。
【図２】実施例１の太陽電池装置Ａ1 の後方斜視図である。
【図３】同じく平面図である。
【図４】同じく一部を破断した側面図である。
【図５】図４のＺ−Ｚ線断面図である。
【図６】太陽電池パネルＰ1 の分解斜視図である。
【図７】同じく側面断面図である。
【図８】枠材Ｗ1 の被嵌合部７ａを、架台４の枠材挿入空間部１７に嵌合挿入させた状態の斜視図である。
【図９】同様の状態の側面断面図である。
【図１０】太陽電池パネルＰ1 の取付角度θを緩くする場合の作用説明図である。
【図１１】（イ）は、太陽電池パネルＰ1'の概略平面図、（ロ）は、（イ）のＴ−Ｔ線断面図である。
【図１２】実施例２の太陽電池装置Ａ2 の架台３４の側面図である。
【図１３】実施例３の太陽電池装置Ａ3 が建物Ｂ2 の屋根面に設置された状態の斜視図である。
【図１４】実施例３の太陽電池装置Ａ3 の斜視図である。
【図１５】同じく、一部を破断した側面図である。
【図１６】実施例４の太陽電池装置Ａ4 の斜視図である。
【図１７】同じく、一部を破断した側面図である。
【図１８】実施例５の太陽電池装置Ａ5 の斜視図である。
【図１９】同じく一部を破断した側面図である。
【図２０】太陽電池パネルＰ2 を回動させて保持した状態の作用説明図である。
【図２１】従来の太陽電池装置Ａ’の斜視図である。
【図２２】同じく側面図である。
【符号の説明】
【００５１】
Ａ1 〜Ａ5 ：太陽電池装置
Ｂ1,Ｂ2 ：建物
ｅ：隙間
Ｍ1,Ｍ2 ：太陽電池モジュール
Ｐ1,Ｐ1'，Ｐ2 ：太陽電池パネル
Ｑ：空間部
Ｗ1,Ｗ2 ：枠材
１：ガスケット
１ｂ：内側溝部（内側面）
３，３７：屋根材
４，３９，５３：架台
７a,４３a,５５a ：被嵌合部（回動支持部）
１７：枠材挿入空間部（挿入空間部）
２１：固定金具
３１，４７，５１：通風孔
５３ｂ：回動支持部（挿入空間部）
【図１】
0004764202.tif 000002
【図２】
0004764202.tif 000003
【図３】
0004764202.tif 000004
【図４】
0004764202.tif 000005
【図５】
0004764202.tif 000006
【図６】
0004764202.tif 000007
【図７】
0004764202.tif 000008
【図８】
0004764202.tif 000009
【図９】
0004764202.tif 000010
【図１０】
0004764202.tif 000011
【図１１】
0004764202.tif 000012
【図１２】
0004764202.tif 000013
【図１３】
0004764202.tif 000014
【図１４】
0004764202.tif 000015
【図１５】
0004764202.tif 000016
【図１６】
0004764202.tif 000017
【図１７】
0004764202.tif 000018
【図１８】
0004764202.tif 000019
【図１９】
0004764202.tif 000020
【図２０】
0004764202.tif 000021
【図２１】
0004764202.tif 000022
【図２２】
0004764202.tif 000023